(57)【要約】【課題】座部を前座部と後座部に前後に分割し傾斜して上昇できるようにした起立補助椅子において、前座部と後座部を傾斜した際の、前座部の後部上端と後座部の後部上端間の間隙を、従来の起立補助椅子よりも少なくできる起立補助椅子を提供する。【解決手段】座前部材９と摺動フレーム１６を後方ヒンジ１８で枢着し、ガスシリンダー２１で上昇できるようにする。座部は、前座部３０と後座部３２で構成され、座ヒンジ３７で連結されている。上記前座部３０は座前部材９に固定され、後座部３２は摺動フレーム１６に、前後方向に摺動可能に連結され、摺動フレームが上昇するときに、前座部３０方向に移動する。【選択図】図２
2019150217.tif 000002
【特許請求の範囲】
【請求項１】
椅子の座部に前部を枢着した座前部材と、該座前部材の後部に枢着した摺動フレームと、上記座前部材と摺動フレームを上方に回動させる駆動手段と、該摺動フレームの回動位置を規制する制御リンクと、座前部材に固定した前座部と、該前座部に枢着した後座部を有し、上記後座部は、上記摺動フレームが回動する際摺動フレームに沿って前後方向に摺動するよう連結部材で摺動フレームに連結されていることを特徴とする起立補助椅子。
【請求項２】
椅子の座部には椅子フレームが固定され、上記座前部材は前座部の座前芯板を固定する板状の本体を有し、該本体の前部には、椅子フレームに枢着する前方ヒンジが設けられ、後部には摺動フレームを枢着する後方ヒンジが設けられている請求項１に記載に起立補助椅子。
【請求項３】
上記摺動フレームは一対の側パイプを有し、上記連結部材は側パイプに嵌着するよう略Ｕ字状に形成された摺動片を有する請求項１又は２に記載の起立補助椅子。
【請求項４】
上記前座部と後座部を連結する座ヒンジのピンが挿通する連結孔は、長孔に形成されている請求項１〜３のいずれかに記載に起立補助椅子。
【発明の詳細な説明】
【技術分野】
【０００１】
本発明は、椅子の座面を前後に傾斜できるようにした起立補助椅子に関するものである。
【背景技術】
【０００２】
着座している人の起立を補助するため座面を分割して前後に傾斜できるようにした椅子が知られている（例えば特許文献１参照）。特許文献１に記載の椅子は、座板を座面前部支持リンクと座面後部支持リンクによって支承し、座面前部支持リンクと座面後部支持リンクを連結ピンで回動自在に連結し、座面後部支持リンクをアクチュエータで上方に回動することにより座面前部支持リンクを前傾させ、座面後部支持リンクをそれより後方に屈曲し、着座者の臀部を押し上げるよう構成されている。このように、座部を前座部と後座部に分離した従来の椅子は、座面前部支持リンクと座面後部支持リンクのそれぞれ上面に前座部と後座部を一体的に形成した構造である。
【０００３】
上記の構成により、特許文献１に記載の椅子では、座面前部支持リンクと座面後部支持リンクを回動して傾斜させる際、上記前座部の後部上端と後座部前部上端間の間隔は、連結ピン部分を中心としてが離れ、大きな隙間が生じる。また、前座部と後座部の上面にわたってクッション材や表皮を連続して設けた構造であると、前座部と後座部が傾斜するとき前座部と後座部の上端間に生じた隙間部分でクッション材や表皮が引っ張られたり、着座したときに挟み込まれて、損傷しやすい。そのため、従来の椅子では、座板にクッション材や表皮を設ける場合、前座部と後座部にそれぞれ別々にクッション材や表皮を設け、この前座部と後座部をそれぞれ前部支持リンクと後部支持リンンクに固定しているので、上記のようにして生じた隙間が表面に現れ、この隙間に衣服や手指を挟む込むおそれがあり、良好な使用感が得られない。
【先行技術文献】
【特許文献】
【０００４】
【特許文献１】特開平１０−２９５７３１号公報（特許請求の範囲、段落０００９，００１０、図面）
【発明の概要】
【発明が解決しようとする課題】
【０００５】
本発明の解決課題は、椅子の座を前座部と後座部に分割して前座部と後座部を前後に傾斜できるようにした椅子において、前座部と後座部を傾斜させた際、前座部の後端と後座部の前端間に生じる隙間を、従来のように前座部と後座部を独立してそれぞれの支持フレームに固定した椅子に比べてより少なくし、前座部と後座部にわたってクッション材や表皮を設けても損傷しにくく、衣服や手指の挟み込みを防止できるようにした起立補助椅子を提供することである。
【課題を解決するための手段】
【０００６】
本発明によれば、椅子の座部に前部を枢着した座前部材と、該座前部材の後部に枢着した摺動フレームと、上記座前部材と摺動フレームを上方に回動させる駆動手段と、該摺動フレームの回動位置を規制する制御リンクと、座前部材に固定した前座部と、該前座部に枢着した後座部を有し、上記後座部は、上記摺動フレームが回動する際、摺動フレームに沿って前後方向に摺動するよう連結部材で摺動フレームに連結されていることを特徴とする起立補助椅子が提供され、上記課題が解決される。
【０００７】
また、本発明によれば、椅子の座部には椅子フレームが固定され、上記座前部材は前座部の座前芯板を固定する板状の本体を有し、該本体の前端には、椅子フレームに枢着するための前方ヒンジが設けられ、後端には摺動フレームを枢着するための後方ヒンジが設けられ、上記連結部材は摺動フレームに嵌着するよう略Ｕ字状に形成されている上記起立補助椅子が提供される。
【発明の効果】
【０００８】
本発明は、上記のように構成され、駆動手段により座前部材と摺動フレームを回動させると、座前部材に固定された前座部は座前部材とともに前傾する。摺動フレームも座前部材とともに回動するが、制御リンクにより所定位置で回動が停止する。このとき摺動フレームに連結部材で摺動可能に連結した後座部は、傾斜しながら上記前座部に引かれて前進するから、従来のように前座部と後座部をそれぞれ前後の支持リンクと一体的に固定した場合に比べて、前座部の後部上端と後座部の前部上端間に大きな隙間が生じないようにできる。その結果、前座部と後座部にわたってクッション材を設けても損傷することが少なくなる。また、上記後座部は連結部材により摺動フレームに摺動可能に連結されているので、該摺動フレームから分離しないようにでき、椅子を搬送するときにバタバタすることもなく、取り扱いやすい。
【図面の簡単な説明】
【０００９】
【図１】本発明の一実施例を示す椅子の斜視図。
【図２】図１に示す椅子をほぼ中央で断面した説明図。
【図３】駆動部分の一部の斜視図。
【図４】座の芯板の一実施例を示す斜視図。
【図５】座部が水平状態にあるときの説明図。
【図６】座部が傾斜状態にあるときの説明図。
【発明を実施するための形態】
【００１０】
本発明は、各種の椅子の座部に適用することができるが、一実施例を示す図１においては、椅子１は、前脚２、後脚３、座枠４及びひじ掛け５を有し、座枠４には座部６が形成され、後脚３の上部には背凭れ部７が形成されている。
【００１１】
上記座枠４には、略Ｕ字状にパイプを屈曲形成した椅子フレーム８が固定され、該椅子フレーム８の前端には、座前部材９が設けられ、該座前部材９の前部は前ピン１０を有する前方ヒンジ１１により椅子フレーム８に枢着されている。該座前部材９は、板状の本体１２の両側を屈曲して形成した略Ｌ字状の側板部１３を有し、該側板部１３の前部下方に延びる突片１４には、上記椅子フレーム８と枢着するための上記前方ヒンジ１１が有り、該前方ヒンジ１１を中心として、座前部材９は椅子フレーム８の上方に回動可能である。また、上記本体１２の裏面には、上記側板部１３との間に挿入間隙をあけて補助片１５が固定され、該挿入間隙に摺動フレーム１６の前端が挿入され、該摺動フレーム１６を、後ピン１７により座面部材の後部に枢着する後方ヒンジ１８が設けられている。該摺動フレーム１６は、該後方ヒンジ１８を中心として、椅子フレーム８方向に回動自在である。
【００１２】
上記摺動フレーム１６は、両側に延びる一対の側パイプ１９を連結枠２０で固定した略Ｈ字状の枠体に形成されている。この連結枠２０と椅子フレーム８間には、摺動フレーム１６と座前部材９の後端を上方に押し上げて回動させるための駆動手段が設けられている。該駆動手段としては、各種のシリンダー機構やモーターやリンクによる駆動機構その他適宜の機構を用いることができるが、図に示す実施例ではガスシリンダー２１を用いた機構示されている。該ガスシリンダー２１は、シリンダー２２の基端とピストンロッド２３の先端を、上記連結枠２０と椅子フレーム８の適宜位置に連結してピストンロッドの長手方向に伸縮可能に設けられている。なお、この連結部の位置を選択可能に設けておけば、摺動フレーム１６の移動位置を調整することができる。図２に示す実施例では、上記椅子フレーム８に、座部の前後方向に調整孔２４を並んで分散させて有する調整板２５を固定し、この調整孔２４に係合するシリンダー２２若しくはピストンロッド２３の連結位置を前後に選択することにより調整している。
【００１３】
なお、図示を省略したが、摺動フレーム１６が椅子フレーム８に沿った水平位置に停止しているとき、該摺動フレーム１６が駆動手段により勝手に上方に上昇しないように適宜のロック部材を設けてロックしている。そのようなロック装置は、駆動手段の構成に応じて適宜に構成することができ、例えばガスシリンダーの場合は、摺動フレーム１６が水平位置にあるとき、該フレームに着脱可能に掛け止めできる適宜のフックであってもよい（図示略）。
【００１４】
上記ガスシリンダー２１による摺動フレーム１６の回動位置は、制御リンク２６により規制される。上記ガスシリンダー２１と制御リンク２６は、摺動フレーム１６が椅子フレーム８の上面に重なる水平位置で停止し、ガスシリンダー２１で座前部材９と摺動フレーム１６が上昇する際に、上記座前部材９の傾斜角度よりも摺動フレーム１６の傾斜角度が少なくなる位置で摺動フレーム１６の回動を停止するように制御される。この制御リンク２６は、図２に示す実施例では、上記椅子フレーム８に囲まれる位置内に対向状態に設けられ、その両端は、上記椅子フレーム８に設けたピン２７と上記連結枠２０に固定した取付板２８に設けたピン２９で支承されている。なお、該制御リンクの長さを可変可能に設けて、摺動フレームの傾斜角度を調整できるようにしてもよい。
【００１５】
上記座前部材９と摺動フレーム１６の上面には座が設けられる。該座の芯板は、図４に示すように、前座部３０の一部となる座前芯板３１と、後座部３２の一部となる座後芯板３３に分割され、座前芯板３１の後部と座後芯板３３の前部に、ヒンジ片３４をそれぞれ形成し、このヒンジ片３４に設けた連結孔３５にピン３６を挿通した座ヒンジ３７により屈曲可能に連結されている。この際、好ましくは、ヒンジ片３４の一方若しくは両方の連結孔３５を長孔に形成して座後芯板３３が座前芯板３１に対し上下方向に遊動して前進できるようにすると、芯板の屈曲が一層スムーズである。上記芯板の上部には、クッション材３８や表皮３９が連続して設けられるが、所望によりこれらのクッション材等を設けなくてもよい。上記座前芯板の裏面には適宜のボス４４が形成されており、該ボス４４を座前部材９の本体１２上に着座させて適宜の止着具で固定してある。
【００１６】
上記座ヒンジ３７と上記後方ヒンジ１８は、座が水平位置にあるとき、後方ヒンジ１８の直上に座ヒンジ３７が位置するようにしてもよいが、好ましくは座ヒンジ３７が後方ヒンジ１８の直上よりも前方に位置するようにすると、芯板の回動が容易である。
【００１７】
上記後座部３２は、連結部材４０により上記摺動フレーム１６に、前後方向に摺動可能に連結されている。該連結部材４０は、図３に示す実施例では、プラスチック材料で形成され、取付基部４１の下面に断面略Ｕ字状の摺動片４２を設けた形状であり、この連結部材４０の基部４１を座後芯板３３に固定し、摺動片４２を摺動フレーム１６の側パイプ１９に摺動可能に嵌着している。なお、摺動フレームの側パイプの下部周面を囲んで摺動片を設け、その上部に取付部を形成して座後芯板に固定するようにしてもよい（図示略）。
【００１８】
上記椅子１は、前座部３０と後座部３１が水平位置にある着座状態から、駆動手段のロックを解除すれば、座前部材９と摺動フレーム１６の後部が駆動手段で押し上げられ、前方ヒンジ１１部分を中心として回動し、座前部材９と摺動フレーム１６は前傾し、かつ後方ヒンジ１８部分を中心として摺動フレーム１６が屈曲し、着座者の臀部を押し上げ、起立を補助することができる。そして、前座部３０は座前部材９と一緒に大きく前傾するが、後座部３２は座ヒンジ３７部分で屈曲するとともに前座部３０に引っ張られ、摺動フレーム１６に沿って摺動可能であるから、摺動フレーム１６に対する相対位置が、水平状態のときの位置よりも前進する。そのため、傾斜状態における前座部３０と後座部３２の上端間の間隙は、従来のように前座部を座面前部支持リンクに固定しかつ後座部を座面後部支持リンクに固定し支持リンクに対して座部の相対位置を不変に設けた椅子よりも少なくすることができる。これにより、座部にクッション材を設けても損傷しにくくすることができる。
【符号の説明】
【００１９】
１    椅子
２    前脚
３    後脚
４    座枠
８    椅子フレーム
９    座前部材
１１  前方ヒンジ
１６  摺動フレーム
１８  後方ヒンジ
２１  ガスシリンダー
２６  制御リンク
３０  前座部
３１  座前芯板
３２  後座部
３３  座後芯板
３７  座ヒンジ
４０  連結部材
４２  摺動片
【図１】
2019150217.tif 000003
【図２】
2019150217.tif 000004
【図３】
2019150217.tif 000005
【図４】
2019150217.tif 000006
【図５】
2019150217.tif 000007
【図６】
2019150217.tif 000008
【手続補正書】
【提出日】平成30年3月1日(2018.3.1)
【手続補正１】
【補正対象書類名】明細書
【補正対象項目名】０００３
【補正方法】変更
【補正の内容】
【０００３】
上記の構成により、特許文献１に記載の椅子では、座面前部支持リンクと座面後部支持リンクを回動して傾斜させる際、上記前座部の後部上端と後座部の前部上端間の間隔は、連結ピン部分を中心として離れ、大きな隙間が生じる。また、前座部と後座部の上面にわたってクッション材や表皮を連続して設けた構造であると、前座部と後座部が傾斜するとき前座部と後座部の上端間に生じた隙間部分でクッション材や表皮が引っ張られたり、着座したときに挟み込まれて、損傷しやすい。そのため、従来の椅子では、座板にクッション材や表皮を設ける場合、前座部と後座部にそれぞれ別々にクッション材や表皮を設け、この前座部と後座部をそれぞれ前部支持リンクと後部支持リンンクに固定しているので、上記のようにして生じた隙間が表面に現れ、この隙間に衣服や手指を挟む込むおそれがあり、良好な使用感が得られない。
【手続補正２】
【補正対象書類名】明細書
【補正対象項目名】００１２
【補正方法】変更
【補正の内容】
【００１２】
上記摺動フレーム１６は、両側に延びる一対の側パイプ１９を連結枠２０で固定した略Ｈ字状の枠体に形成されている。この連結枠２０と椅子フレーム８間には、摺動フレーム１６と座前部材９の後端を上方に押し上げて回動させるための駆動手段が設けられている。該駆動手段としては、各種のシリンダー機構やモーターやリンクによる駆動機構その他適宜の機構を用いることができるが、図に示す実施例ではガスシリンダー２１を用いた機構が示されている。該ガスシリンダー２１は、シリンダー２２の基端とピストンロッド２３の先端を、上記連結枠２０と椅子フレーム８の適宜位置に連結してピストンロッドの長手方向に伸縮可能に設けられている。なお、この連結部の位置を選択可能に設けておけば、摺動フレーム１６の移動位置を調整することができる。図２に示す実施例では、上記椅子フレーム８に、座部の前後方向に調整孔２４を並んで分散させて有する調整板２５を固定し、この調整孔２４に係合するシリンダー２２若しくはピストンロッド２３の連結位置を前後に選択することにより調整している。